(57)【要約】      （修正有）【課題】切妻屋根形頂部を有するゲーブルトップ型紙容器において、シール性を損なうことなく、開封時に開口部の開口を容易にしてユーザの利便を高めた紙容器を得る。【解決手段】切妻屋根形成パネル５，６間に折り込まれる妻壁形成パネル７が有する内側トップシールパネル１７の内面に、端部シール域２４を残して第１易剥離領域２１が設けられ、外側トップシールパネル１３，１４の内面に第２易剥離領域２２，２３が設けられており、第１易剥離領域２１の両端部及び第２易剥離領域２２，２３における内側トップシールパネル１７寄り端部に、胴部パネル２寄りに傾斜する延長部２１ａ，２２ａ，２３ａを設けるとともに、第１易剥離領域２１の両端部の上端と第２易剥離領域２２，２３における内側トップシールパネル１７寄り端部の上端が外側トップシールパネル１３，１４と内側トップシールパネル１７を重ね合わせた時に一致するようにした。【選択図】図１
2018172128.tif 000002
【特許請求の範囲】
【請求項１】
両面に熱可塑性樹脂を積層した板紙素材からなり、４つの胴部パネルを備え、縦方向シールパネルによって縁部が接合されて横断面が方形の筒状体に形成され、前記胴部パネルの上端に、上部に帯状の外側トップシールパネルを有し互いに対向する一対の切妻屋根形成パネルと、前記外側トップシールパネルよりも低い高さの帯状の内側トップシールパネルを有し互いに対向する一対の妻壁形成パネルとが連設され、前記切妻屋根形成パネル間に前記妻壁形成パネルが折り込まれて、対向する前記外側トップシールパネルと前記内側トップシールパネルとの対向面同士がシールされ、且つ前記外側トップシールパネルの対向面同士および前記内側トップシールパネルの対向面同士がシールされて切妻屋根形頂部が形成され、前記切妻屋根形成パネル間に折り込まれる前記妻壁形成パネルのうちの一方の妻壁形成パネルが有する前記内側トップシールパネルの内面に、横長さ方向の両端に所定の横幅の端部シール域を残して易剥離剤が塗布された第１易剥離領域が設けられ、その両側に位置する一対の切妻屋根形成パネルが有する前記外側トップシールパネルの内面における横長さ方向のほぼ半分で前記内側トップシールパネル寄りの部分に、前記内側トップシールパネル寄りに所定の横幅の端部シール域を残して前記第１易剥離領域に重なる易剥離剤が塗布された第２易剥離領域が設けられており、開封時、前記第２易剥離領域が設けられた前記内側トップシールパネルを有する側の前記妻壁形成パネルを引き出して開口部とする紙容器であって、
前記第１易剥離領域の両端部及び前記第２易剥離領域における前記内側トップシールパネル寄り端部に、上方から下方に向けて前記胴部パネル寄りが長くなるように傾斜する延長部がそれぞれ設けられており、
さらに、前記第１，第２易剥離領域は、少なくとも前記第１易剥離領域の両端部の上端と前記第２易剥離領域における前記内側トップシールパネル寄り端部の上端が、前記外側トップシールパネルと前記内側トップシールパネルとの対向面同士を重ね合わせた時に一致するように設けられていることを特徴とする紙容器。
【請求項２】
前記第２易剥離領域の縦幅が、前記第１易剥離領域の縦幅の１７〜１００％となっていることを特徴とする請求項１に記載の紙容器。
【請求項３】
前記第１易剥離領域の両端部に設けられた延長部の形状と前記第２易剥離領域における前記内側トップシールパネル寄り端部に設けられた延長部の形状は同一となっていることを特徴とする請求項１または２に記載の紙容器。
【発明の詳細な説明】
【技術分野】
【０００１】
本発明は、例えば牛乳や果汁ジュースなどの飲料液体を収容する切妻屋根形頂部を有するゲーブルトップ型と呼ばれる紙容器に関する。
【背景技術】
【０００２】
図５はゲーブルトップ型と呼ばれる紙容器１を示し、図６は図５に示す紙容器１の開封状態を示し、図７は図５に示す従来の紙容器の内面要部展開図を示している。
この種の紙容器１は、両面に熱可塑性樹脂を積層した板紙素材が用いられ、４つの胴部パネル２をそれぞれ縦折線３から折り加工し、一側と他側の胴部パネル２を糊代となる縦シールパネル４により接合されて横断面方形の筒状体に形成されている。
【０００３】
また、４つの胴部パネル２の対向する各上端には、対向する一対の切妻屋根形成パネル５，６と、これら切妻屋根形成パネル５，６間に折り込まれることとなる対向する一対の妻壁形成パネル７，８がそれぞれ横折線１０を介して連設されている。切妻屋根形成パネル５，６の各上端にはそれぞれ横折線１１，１２を介して帯状の外側トップシールパネル１３，１４が設けられ、妻壁形成パネル７，８の各上端にもそれぞれ横折線１５，１６を介して帯状の内側トップシールパネル１７，１８が設けられている。この内側トップシールパネル１７，１８の帯の高さ寸法は、外側トップシールパネル１３，１４のそれよりも低く形成されている。
【０００４】
そして、切妻屋根形成パネル５，６間に妻壁形成パネル７，８が折り込まれて、対向する外側トップシールパネル１３，１４と内側トップシールパネル１７，１８との対向面同士が加熱シールされると共に、外側トップシールパネル１３，１４の対向面同士および内側トップシールパネル１７，１８の対向面同士も加熱シールされることによって切妻屋根形頂部１９が形成される。
【０００５】
このようにして形成された紙容器１の開封にあっては、先ず、切妻屋根形成パネル５，６と、切妻屋根形成パネル５，６間に折り込まれ、対向面同士がシールされている一方の妻壁形成パネル７を両手で摘まんで左右に広げるようにして剥がし（一次開封）、次に、親指と人差し指で一方の妻壁形成パネル７を手前に押し出すようにして内側トップシールパネル１７を外側トップシールパネル１３，１４から剥がし（二次開封）、一方の妻壁形成パネル７を手前に最後まで引き出し（三次開封）、注出口となる開口部２０としている（図６参照）。
【０００６】
このような開封を容易に行えるようにするために、開口部２０を開口するために引き出す一方の妻壁形成パネル７が有する内側トップシールパネル１７と、内側トップシールパネル１７と対向する一対の切妻屋根形成パネル５，６が有する外側トップシールパネル１３，１４との対向面には、内側トップシールパネル１７に第１易剥離領域２１が設けられ、外側トップシールパネル１３，１４には第２易剥離領域２２，２３が設けられ、内側トップシールパネル１７と外側トップシールパネル１３，１４が第１易剥離領域２１と第２易剥離領域２２，２３を介して加熱シールされている。
【０００７】
従来、開口部２０を開口するために引き出す一方の妻壁形成パネル７が有する内側トップシールパネル１７と、その両側に位置する一対の切妻屋根形成パネル５，６が有する外側トップシールパネル１３，１４との対向面に設けられる第１易剥離領域２１、第２易剥離領域２２，２３としては、図７に示すように、内側トップシールパネル１７の内面に、横長さ方向の両端に所定の横幅Ａの端部シール域２４を残して第１易剥離領域２１を設け、外側トップシールパネル１３，１４の内面における横長さ方向のほぼ半分の長さで内側トップシールパネル１７寄りの部分に、所定の横幅Ｂの端部シール域２５，２６を残して第１易剥離領域２２，２３を設けたものが知られている（例えば、特許文献１参照。）。
【０００８】
前記した内側トップシールパネル１７に設けられた第１易剥離領域２１の両端に存在する端部シール域２４の横幅Ａと、その両側の外側トップシールパネル１３，１４に設けられた第２易剥離領域２２，２３の内側トップシールパネル１７寄り端部に存在する端部シール域２５，２６の横幅Ｂは、狭ければ内側トップシールパネル１７と外側トップシールパネル１３，１４の剥離は容易となる反面、内側トップシールパネル１７と外側トップシールパネル１３，１４のシール性が低下し、液漏れを生じるおそれがある。そのため端部シール域２４，２５，２６の横幅Ａ，Ｂは、少なくとも内側トップシールパネル１７と外側トップシールパネル１３，１４のシール性を維持し、液漏れを生じさせない幅として設定されている。
【０００９】
上記特許文献１に記載された紙容器１では、第１易剥離領域２１の両端に存在する端部シール域２４と、第２易剥離領域２２，２３の内側トップシールパネル１７寄り端部に存在する端部シール域２５，２６の横幅Ａ，Ｂは、内側トップシールパネル１７と外側トップシールパネル１３，１４のシール性を維持し、液漏れを生じさせない幅となっているため、開封時に、妻壁形成パネル７を引き出す際、内側トップシールパネル１７と外側トップシールパネル１３，１４との端部シール域２４，２５，２６の部分の剥離が困難となり、開口部２０を広く開けられなくなるため、注出口となる妻壁形成パネル７の内側トップシールパネル１７を摘んで開けなければならなくなる。また、このような開け方は衛生上好ましいものではない。
【００１０】
本出願人は、このような問題を解決すべく研究を重ねた結果、内側トップシールパネル１７と外側トップシールパネル１３，１４のシール性を維持しつつ、且つ易剥離を可能にすべく試験研究を重ねた結果、端部シール域２４，２５，２６における液漏れを生じさせないシール性は主に横幅Ａ，Ｂにあり、縦幅Ｃの広狭は液漏れを防ぐシール性に与える影響が少ないことを見いだし、図８に示すように、第１易剥離領域２１の両端に存在する端部シール域２４と第２易剥離領域２２，２３の内側トップシールパネル１７寄り端部に存在する端部シール域２５，２６の縦長さ方向胴部パネル２寄りの一部に第１易剥離領域２１の延長部２１ａと、第２剥離領域２２，２３の延長部２２ａ，２３ａをそれぞれ設け、第１易剥離領域２１の延長部２１ａと、第２剥離領域２２，２３の延長部２２ａ,２３ａを、その上辺が第１易剥離領域２１と第２剥離領域２２，２３の端部上方から下方に向けて縦長さ方向胴部パネル２寄りが長くなるように傾斜させた紙容器を提案している（例えば、特許文献２参照。）。
【先行技術文献】
【特許文献】
【００１１】
【特許文献１】特開２０００−７９９３９号公報
【特許文献２】特許第５９４３４７３号公報
【発明の概要】
【発明が解決しようとする課題】
【００１２】
特許文献２に記載されている紙容器１によれば、特許文献１に記載の紙容器１に比べ、第１易剥離領域２１の両端に存在する端部シール域２４と、第２易剥離領域２２，２３の内側トップシールパネル１７寄り端部に存在する端部シール域２５，２６の剥離性は向上した。
【００１３】
しかし、第２易剥離領域２２，２３の縦幅は第１易剥離領域２１よりも狭く、切妻屋根形成パネル５，６間に妻壁形成パネル７を折り込んで、外側トップシールパネル１３，１４と内側トップシールパネル１７とを重ね合わせたとき、第１易剥離領域２１の両端部の上端と第２易剥離領域２２，２３における内側トップシールパネル１７寄り端部の上端が一致していない。
第１易剥離領域２１と第２易剥離領域２２，２３の上端は、内側トップシールパネル１７を外側トップシールパネル１３，１４から剥がす二次開封時に、二次開封が始まる端緒となるところであるが、第１易剥離領域２１と第２易剥離領域２２，２３の上端が一致していないため、一致していない同部位の剥離強度は高い状態にあり、そのため二次開封の剥離開始を円滑に行えない場合があった。
【００１４】
本発明の目的は、切妻屋根形頂部を有するゲーブルトップ型紙容器において、シール性を損なうことなく、開封時に開口部の開口を容易にしてユーザの利便を高めた紙容器を提供することにある。
【課題を解決するための手段】
【００１５】
上記の目的を達成するために、請求項１に記載の発明は、両面に熱可塑性樹脂を積層した板紙素材からなり、４つの胴部パネルを備え、縦方向シールパネルによって縁部が接合されて横断面が方形の筒状体に形成され、前記胴部パネルの上端に、上部に帯状の外側トップシールパネルを有し互いに対向する一対の切妻屋根形成パネルと、前記外側トップシールパネルよりも低い高さの帯状の内側トップシールパネルを有し互いに対向する一対の妻壁形成パネルとが連設され、前記切妻屋根形成パネル間に前記妻壁形成パネルが折り込まれて、対向する前記外側トップシールパネルと前記内側トップシールパネルとの対向面同士がシールされ、且つ前記外側トップシールパネルの対向面同士および前記内側トップシールパネルの対向面同士がシールされて切妻屋根形頂部が形成され、前記切妻屋根形成パネル間に折り込まれる前記妻壁形成パネルのうちの一方の妻壁形成パネルが有する前記内側トップシールパネルの内面に、横長さ方向の両端に所定の横幅の端部シール域を残して易剥離剤が塗布された第１易剥離領域が設けられ、その両側に位置する一対の切妻屋根形成パネルが有する前記外側トップシールパネルの内面における横長さ方向のほぼ半分で前記内側トップシールパネル寄りの部分に、前記内側トップシールパネル寄りに所定の横幅の端部シール域を残して前記第１易剥離領域に重なる易剥離剤が塗布された第２易剥離領域が設けられており、開封時、前記第２易剥離領域が設けられた前記内側トップシールパネルを有する側の前記妻壁形成パネルを引き出して開口部とする紙容器であって、前記第１易剥離領域の両端部及び前記第２易剥離領域における前記内側トップシールパネル寄り端部に、上方から下方に向けて前記胴部パネル寄りが長くなるように傾斜する延長部がそれぞれ設けられており、さらに、前記第１，第２易剥離領域は、少なくとも前記第１易剥離領域の両端部の上端と前記第２易剥離領域における前記内側トップシールパネル寄り端部の上端が、前記外側トップシールパネルと前記内側トップシールパネルとの対向面同士を重ね合わせた時に一致するように設けられていることを特徴とする。
【００１６】
請求項２に記載の発明は、請求項１に記載の、前記第２易剥離領域の縦幅が、前記第１易剥離領域の縦幅の１７〜１００％となっていることを特徴とする。
【００１７】
請求項３に記載の発明は、請求項１または２に記載の、前記第１易剥離領域の両端部に設けられた延長部の形状と前記第２易剥離領域における前記内側トップシールパネル寄り端部に設けられた延長部の形状は同一となっていることを特徴とする。
【発明の効果】
【００１８】
請求項１に記載の紙容器によれば、前記第１易剥離領域の両端部及び前記第２易剥離領域における前記内側トップシールパネル寄り端部に、上方から下方に向けて前記胴部パネル寄りが長くなるように傾斜する延長部がそれぞれ設けられているので、前記第１，第２易剥離領域の延長部の上辺の傾斜方向が、妻壁形成パネルを引き出す際の内側トップシールパネルと外側トップシールパネルに存在する端部シール域の剥離進行方向に沿うことになり、前記外側トップシールパネルと前記内側トップシールパネルにおける前記端部シール域を容易に剥離できることになる。
【００１９】
さらに、前記第１，第２易剥離領域は、少なくとも前記第１易剥離領域の両端部の上端と前記第２易剥離領域における前記内側トップシールパネル寄り端部の上端が前記外側トップシールパネルと前記内側トップシールパネルとの対向面同士を重ね合わせた時に一致するように設けられているので、内側トップシールパネルを外側トップシールパネルから剥がす二次開封時に、二次開封が始まる端緒となる第１易剥離領域と第２易剥離領域の上端のシール部位の剥離強度は低くなる。これにより親指と人差し指で妻壁形成パネルを手前に押し出すようにしたとき、第１易剥離領域と第２易剥離領域の上端の部分に押出しのきっかけとなる剥離を容易に発生させることができるので、二次開封の剥離開始を円滑に行うことができ、紙容器の開封時に開口部の開口を容易に、且つ確実に行うことができる。
【００２０】
請求項２に記載の紙容器によれば、請求項１に記載の、前記第２易剥離領域の縦幅が、前記第１易剥離領域の縦幅の１７〜１００％となっているので、前記外側トップシールパネルと前記内側トップシールパネルとの対向面同士を重ね合わせた時に、前記第１易剥離領域と前記第２易剥離領域が確実に重なった状態でシールされることになり、前記第１易剥離領域と前記第２易剥離領域の重なったシール部位の剥離強度は低くなるので、内側トップシールパネルを外側トップシールパネルから容易に剥がすことができる。
【００２１】
請求項３に記載の紙容器によれば、請求項１または２に記載の、前記第１易剥離領域の両端部に設けられた延長部の形状と前記第２易剥離領域における前記内側トップシールパネル寄り端部に設けられた延長部の形状は同一となっているので、前記外側トップシールパネルと前記内側トップシールパネルとの対向面同士を重ね合わせた時に、前記第１易剥離領域と前記第２易剥離領域の延長部が確実に重なった状態でシールされることになり、前記第１易剥離領域と前記第２易剥離領域のシール部位の剥離強度は低くなるので、内側トップシールパネルを外側トップシールパネルから一層容易に剥がすことができる。
【図面の簡単な説明】
【００２２】
【図１】本発明に係る紙容器の実施の形態の第１例を示す内面要部展開図である。
【図２】本発明に係る紙容器の実施の形態の第２例を示す内面要部展開図である。
【図３】本発明に係る紙容器の実施の形態の第３例を示す内面要部展開図である。
【図４】本発明に係る紙容器の実施の形態の第４例を示す内面要部展開図である。
【図５】従来のゲーブルトップ型の紙容器を示す斜視図である。
【図６】従来の紙容器の開封状態を示す説明図である。
【図７】従来の紙容器の内面要部展開図である。
【図８】従来の他の紙容器の内面要部展開図である。
【発明を実施するための形態】
【００２３】
以下、本発明に係る紙容器の実施の形態の一例を図面を参照して詳細に説明する。
なお、図５〜図８で示した従来例と対応する部分には同一の符号を付して説明する。
図１は本発明に係る紙容器の実施の形態の一例を示す内面要部展開図であり、本例の紙容器１は、開口部２０を開口するために引き出す一方の妻壁形成パネル７が有する内側トップシールパネル１７の内面に、横長さ方向の両端に所定の横幅Ａの端部シール域２４を残して易剥離剤が塗布されて第１易剥離領域２１が設けられ、内側トップシールパネル１７の両側に位置する一対の切妻屋根形成パネル５，６が有する外側トップシールパネル１３，１４の内面における横長さ方向のほぼ半分で内側トップシールパネル１７寄りの部分（切妻屋根形成パネル５，６間に妻壁形成パネル７，８を折り込んだときに、内側トップシールパネル１７と対向する面）に、内側トップシールパネル１７寄りに所定の横幅Ｂの端部シール域２５，２６を残して易剥離剤が塗布されて第２易剥離領域２２，２３が設けられている。
【００２４】
そして、内側トップシールパネル１７に設けられた第１易剥離領域２１の両端に存在する端部シール域２４に、縦長さ方向における胴部パネル２寄りの部分（第１易剥離領域２１の端部下方部分）に第１易剥離領域２１の延長部２１ａが設けられている。同様に、内側トップシールパネル１７の両側の外側トップシールパネル１３，１４に設けられた第２易剥離領域２２，２３の内側トップシールパネル１７寄り端部に存在する端部シール域２５，２６に、縦長さ方向における胴部パネル２寄りの一部（第２易剥離領域２２，２３の端部下方部分）に第２易剥離領域２２，２３の延長部２２ａ，２３ａが設けられている。
【００２５】
第１易剥離領域２１の延長部２１ａと、第２剥離領域２２，２３の延長部２２ａ、２３ａは、その上辺が第１易剥離領域２１と第２剥離領域２２，２３の端部上方から下方に向けて縦長さ方向胴部パネル２寄りが長くなるように傾斜している。
本例では、延長部２１ａ，２２ａ，２３ａは、その上辺が第１易剥離領域２１と第２剥離領域２２，２３の端部上方から下方に向けて傾斜した三角形状となっている。
【００２６】
また、本例では、第１易剥離領域２１の延長部２１ａと第２易剥離領域２２の延長部２２ａとの間、第１易剥離領域２１の延長部２１ａと第２易剥離領域２３の延長部２３ａとの間が接続していないが、延長部２１ａと延長部２２ａ、延長部２１ａと延長部２３ａの先端が接続していてもよい。
【００２７】
さらに、第１易剥離領域２１と第２剥離領域２２，２３は、少なくとも第１易剥離領域２１の両端部の上端２１ｂと第２易剥離領域２２，２３における内側トップシールパネル１７寄り端部の上端２２ｂ，２３ｂが外側トップシールパネル１３，１４と内側トップシールパネル１７との対向面同士を重ね合わせた時に一致するように設けられている。
本例では、図１に示すように、第１易剥離領域２１の縦幅Ｈ１と第２易剥離領域２２，２３の縦幅Ｈ２は同幅となっており、また、第１易剥離領域２１の両端部に設けられた延長部２１ａの形状と第２易剥離領域２２，２３における内側トップシールパネル１７寄り端部に設けられた延長部２２ａ，２３ａの形状は同一となっている。
【００２８】
本例では、第１易剥離領域２１の縦幅Ｈ１と第２易剥離領域２２，２３の縦幅Ｈ２は同幅となっているが、必ずしも同幅である必要はない。第２易剥離領域２２，２３の縦幅Ｈ２は第１易剥離領域２１の縦幅Ｈ１の１７〜１００％であることが好ましい。
図２から図４までは、第２易剥離領域２２，２３の縦幅Ｈ２が第１易剥離領域２１の縦幅Ｈ１より短幅の例を示すものである。
【００２９】
上記のように構成した本例の紙容器１によれば、第１易剥離領域２１の両端部及び第２易剥離領域２２，２３における内側トップシールパネル１７寄り端部に、上方から下方に向けて胴部パネル２寄りが長くなるように傾斜する延長部２１ａ，２２ａ，２３ａがそれぞれ設けられているので、第１，第２易剥離領域２１，２２，２３の延長部２１ａ，２２ａ，２３ａの上辺の傾斜方向が、妻壁形成パネル７を引き出す際の内側トップシールパネル１７と外側トップシールパネル１３，１４に存在する端部シール域２４，２５，２６の剥離進行方向に沿うことになり、内側トップシールパネル１７と外側トップシールパネル１３，１４における端部シール域２４，２５，２６を容易に剥離できることになる。
【００３０】
さらに、第１易剥離領域２１と第２易剥離領域２２，２３は、第１易剥離領域２１の両端部の上端２１ｂと第２易剥離領域２２，２３における内側トップシールパネル１７寄り端部の上端２２ｂ，２３ｂが内側トップシールパネル１７と外側トップシールパネル１３，１４との対向面同士を重ね合わせた時に一致するように設けられているので、内側トップシールパネル１７を外側トップシールパネル１３，１４から剥がす二次開封時に、二次開封が始まる端緒となる第１易剥離領域２１の両端部の上端２１ｂと第２易剥離領域２２，２３における内側トップシールパネル１７寄り端部の上端２２ｂ，２３ｂのシール部位の剥離強度は低くなる。
【００３１】
これにより親指と人差し指で妻壁形成パネル７を手前に押し出すようにしたとき、第１易剥離領域２１の両端部の上端２１ｂと第２易剥離領域２２，２３における内側トップシールパネル１７寄り端部の上端２２ｂ，２３ｂの部分に押出しのきっかけとなる剥離を容易に発生させることができる。
【００３２】
また、本例では、第１易剥離領域２１の縦幅Ｈ１と第２易剥離領域２２，２３の縦幅Ｈ２は同幅となっており、また、第１易剥離領域２１の両端部に設けられた延長部２１ａの形状と第２易剥離領域２２，２３における内側トップシールパネル１７寄り端部に設けられた延長部２２ａ，２３ａの形状は同一となっているので、内側トップシールパネル１７と外側トップシールパネル１３，１４との対向面同士を重ね合わせた時に、第１易剥離領域２１と第２易剥離領域２２，２３が確実に重なった状態でシールされることになり、第１易剥離領域２１と第２易剥離領域２２，２３の重なったシール部位の剥離強度は低くなり、内側トップシールパネル１７を外側トップシールパネル１３，１４から容易に剥がすことができる。
【００３３】
また、第２易剥離領域２２，２３の縦幅Ｈ２が第１易剥離領域２１の縦幅Ｈ１の１７〜１００％の場合でも、内側トップシールパネル１７と外側トップシールパネル１３，１４との対向面同士を重ね合わせた時に、第１易剥離領域２１と第２易剥離領域２２，２３が確実に重なった状態でシールされることになり、第１易剥離領域２１と第２易剥離領域２２，２３の重なったシール部位の剥離強度は低くなり、内側トップシールパネル１７を外側トップシールパネル１３，１４から容易に剥がすことができる。
【００３４】
以下に、第２易剥離領域２２，２３の縦幅Ｈ２が、第１易剥離領域２１の縦幅Ｈ１の１７〜１００％となっている以下のサンプルを作成し、剥がし易さについて検証した。
［サンプル］
第２易剥離領域２２，２３の縦幅Ｈ２、が第１易剥離領域２１の縦幅Ｈ１の１５％、２０％、５０％、８０％、１００％の５種のサンプルを用意した。
［検証方法］
充填機のトップシール装置を使用してヒートシールしたサンプルを、１０人のパネラーに開封してもらい、開封評価を行った。
［評価］
◎：１０人全員が開け易いと評価した。
〇：開け易いと評価した人が６人から９人であった。
△：開け易いと評価した人が５人以下であった。
×：開け易いと評価した人がいなかった。
【表１】
2018172128.tif 000003
【符号の説明】
【００３５】
１  紙容器
２  胴部パネル
３  縦折線
４  縦シールパネル
５、６  切妻屋根形成パネル
７、８  妻壁形成パネル
１０、１１、１２  横折線
１３、１４  外側トップシールパネル
１５、１６  横折線
１７、１８  内側トップシールパネル
１９  切妻屋根形頂部
２０  開口部
２１  第１易剥離領域
２１ａ  延長部
２１ｂ  上端
２２，２３  第２易剥離領域
２２ａ，２３ａ  延長部
２２ｂ，２３ｂ  上端
２４、２５、２６  端部シール域
Ａ、Ｂ  端部シール域横幅
Ｃ  端部シール域縦幅
Ｈ１  第１易剥離領域の縦幅
Ｈ２  第２易剥離領域の縦幅
【図１】
2018172128.tif 000004
【図２】
2018172128.tif 000005
【図３】
2018172128.tif 000006
【図４】
2018172128.tif 000007
【図５】
2018172128.tif 000008
【図６】
2018172128.tif 000009
【図７】
2018172128.tif 000010
【図８】
2018172128.tif 000011